(57)【要約】【課題】対象空間に人が存在していることを知らせることが可能な室内ユニットおよび空気調和装置を提供する。【解決手段】空調対象空間に設置される空気調和装置１の室内ユニット３、２０３であって、空調対象空間の人の存在を検知する人検知センサ５５と、人検知センサ５５による検知結果に応じて音を発するブザー６３と、を備える。【選択図】図１０
2019124391.tif 000002
【特許請求の範囲】
【請求項１】
空調対象空間に設置される空気調和装置（１）の室内ユニット（３、２０３）であって、
前記空調対象空間の人の存在を検知する人検知センサ（５５）と、
前記人検知センサによる検知結果に応じて音を発する音発生部（６３）と、
を備える室内ユニット。
【請求項２】
前記音発生部が発する音が警告音である、
請求項１に記載の室内ユニット。
【請求項３】
前記音発生部は、前記人検知センサによる検知から所定時間の間、前記音を発する、
請求項１または２に記載の室内ユニット。
【請求項４】
前記音発生部は、所定の時間条件を満たした場合に、前記人検知センサによる検知結果に応じて前記音を発する、
請求項１から３のいずれか１項に記載の室内ユニット。
【請求項５】
前記空調対象空間の照度を検知する照度センサ（６２）をさらに備え、
前記音発生部は、前記照度センサが検知した照度が所定照度以下または前記所定照度よりも低い場合に、前記人検知センサによる検知結果に応じて音を発する、
請求項１から４のいずれか１項に記載の室内ユニット。
【請求項６】
下面視が矩形である化粧パネル（３５）をさらに備え、
前記人検知センサと前記音発生部とは、前記化粧パネルの４角のうちのいずれかに設けられている、
請求項１から５のいずれか１項に記載の室内ユニット。
【請求項７】
前記人検知センサによる検知結果に応じて発光する発光部（６１）をさらに備え、
前記発光部は、前記化粧パネルの４角のうち、前記人検知センサが設けられている場所とは異なる場所に設けられている、
請求項６に記載の室内ユニット。
【請求項８】
前記人検知センサによる検知結果に応じて発光する発光部（６１）をさらに備え、
前記発光部は、前記化粧パネルの４角のうち、前記人検知センサ（５５）と前記音発生部（６３）が設けられている場所と同じ場所に設けられている、
請求項６に記載の室内ユニット（２０３）。
【請求項９】
請求項１から８のいずれか１項に記載の室内ユニット（３、２０３）と、
室外ユニット（２）と、
を備えた空気調和装置（１）。
【発明の詳細な説明】
【技術分野】
【０００１】
本開示は、室内ユニットおよび空気調和装置に関する。
【背景技術】
【０００２】
従来より、空気調和を行う対象空間の天井に設置される空調室内ユニットとして、例えば、特許文献１（特開２０１１−１７４７０５号）に記載の室内ユニットのように、対象空間における人の存在を把握する人検知センサを備え、対象空間における人の分布に基づいて吹出口から吹き出される調和空気の風向を制御する空調室内ユニットが提案されている。
【発明の概要】
【発明が解決しようとする課題】
【０００３】
このような、室内ユニットでは、対象空間に存在する人に対して調和空気を適切に供給するために人検知センサが用いられているが、対象空間に人が存在していることを把握することが困難である。
【０００４】
本開示は、上述した点に鑑みてなされたものであり、本開示における課題は、対象空間に人が存在していることを知らせることが可能な室内ユニットおよび空気調和装置を提供することにある。
【課題を解決するための手段】
【０００５】
第１観点に係る室内ユニットは、空調対象空間に設置される空気調和装置の室内ユニットであって、人検知センサと、音発生部と、を備えている。人検知センサは、空調対象空間の人の存在を検知する。音発生部は、人検知センサによる検知結果に応じて音を発する。
【０００６】
ここでは、空気調和装置の室内ユニットが、空調対象空間に人が存在していることを知らせることが可能である。
【０００７】
第２観点に係る室内ユニットは、第１観点に係る室内ユニットであって、音発生部が発する音が警告音である。
【０００８】
ここで、警告音としては、特に限定されるものではなく、例えば、一定の間隔で同じ音が繰り返されるものであってもよいし、警告の内容を含むアナウンスを放送させるものであってもよい。
【０００９】
この室内ユニットでは、空調対象空間に人が存在している場合に、警告音を発することで、当該空調対象空間に存在する人またはその周囲に存在する人に対して緊急性を知らせることが可能である。
【００１０】
第３観点に係る室内ユニットは、第１観点または第２観点に係る室内ユニットであって、音発生部は、人検知センサによる検知から所定時間の間、音を発する。
【００１１】
この室内ユニットでは、空調対象空間において人が検知されてから、当該人が存在している間に、空調対象空間に人が存在したことを報知することが可能である。
【００１２】
第４観点に係る室内ユニットは、第１観点から第３観点のいずれかに係る室内ユニットであって、音発生部は、所定の時間条件を満たした場合に、人検知センサによる検知結果に応じて音を発する。
【００１３】
この室内ユニットでは、音発生部が音を発する条件として、所定の時間条件を満たすという条件が含まれている。このため、音発生部による報知が希望されない時間に音発生部による報知を止めさせることが可能となる。
【００１４】
第５観点に係る室内ユニットは、第１観点から第４観点のいずれかに係る室内ユニットであって、照度センサをさらに備えている。照度センサは、空調対象空間の照度を検知する。音発生部は、照度センサが検知した照度が所定照度以下または前記所定照度よりも低い場合に、人検知センサによる検知結果に応じて音を発する。
【００１５】
この室内ユニットでは、空調対象空間の照度が所定照度以下または前記所定照度よりも低いという暗い場合に限って、空調対象空間に人が存在することを音で報知することが可能となる。
【００１６】
第６観点に係る室内ユニットは、第１観点から第５観点のいずれかに係る室内ユニットであって、化粧パネルをさらに備えている。化粧パネルは、下面視が矩形である。人検知センサと音発生部とは、化粧パネルの４角のうちのいずれかに設けられている。
【００１７】
この室内ユニットでは、人検知センサと音発生部とが化粧パネルの４角のうちのいずれかに設けられているため、室内ユニットとは別体として人検知センサや音発生部を設ける必要が無くなる。
【００１８】
第７観点に係る室内ユニットは、第６観点に係る室内ユニットであって、発光部をさらに備えている。発光部は、人検知センサによる検知結果に応じて発光する。発光部は、化粧パネルの４角のうち、人検知センサが設けられている場所とは異なる場所に設けられている。
【００１９】
この室内ユニットでは、発光部は人検知センサが設けられている場所とは異なる４角に配置されているため、化粧パネルの４角がコンパクトなものであっても、発光部および人検知センサを配置させることが可能になる。
【００２０】
第８観点に係る室内ユニットは、第６観点に係る室内ユニットであって、発光部をさらに備えている。発光部は、人検知センサによる検知結果に応じて発光する。発光部は、化粧パネルの４角のうち、人検知センサおよび音発生部が設けられている場所と同じ場所に設けられている。
【００２１】
この室内ユニットでは、化粧パネルの４角のうち、発光部と人検知センサと音発生部とがいずれも同じ場所に設けられているため、これらと室内ユニットが有する制御部との電気配線の接続を簡単に行うことが可能となる。
【００２２】
第９観点に係る空気調和装置は、第１観点から第８観点のいずれかに係る室内ユニットと、室外ユニットと、を備えている。
【００２３】
この空気調和装置では、空調対象空間に人が存在していることを知らせることが可能である。
【図面の簡単な説明】
【００２４】
【図１】空気調和装置の概略構成図である。
【図２】室内ユニットの概略外観斜視図である。
【図３】室内ユニットの平面視概略構成図である。
【図４】室内ユニットの図３のＡ−Ａ断面における側面視概略構成図である。
【図５】第４コーナーパネルの下面視概略構成図である。
【図６】第４コーナーパネルのカバーが取り外された状態の上面視概略構成図である。
【図７】第４コーナーパネルの上面視概略構成図である。
【図８】第４コーナーパネルの図５のＢ−Ｂ断面の矢視における断面図である。
【図９】第４コーナーパネルの図５のＣ−Ｃ断面の矢視における断面図である。
【図１０】空気調和装置の制御ブロック構成図である。
【図１１】ＬＥＤおよびブザーの制御フローチャートである。
【図１２】変形例Ａに係る室内ユニットの概略外観斜視図である。
【発明を実施するための形態】
【００２５】
（１）空気調和装置の構成
図１に、空気調和装置１の概略構成図を示す。
【００２６】
空気調和装置１は、蒸気圧縮式の冷凍サイクルを行うことによって、建物等の室内の冷房および暖房を行うことが可能な装置である。
【００２７】
空気調和装置１は、主として、室外ユニット２と、室内ユニット３と、室外ユニット２と室内ユニット３とを接続する冷媒経路である液冷媒連絡管４およびガス冷媒連絡管５と、を有している。そして、空気調和装置１の蒸気圧縮式の冷媒回路６は、室外ユニット２と、室内ユニット３とが冷媒連絡管４、５を介して接続されることによって構成されている。冷媒連絡管４、５は、空気調和装置１を建物等の設置場所に設置する際に、現地にて施工される冷媒管である。特に限定されないが、本実施形態では、当該冷媒回路６に作動冷媒としてＲ３２が充填されている。
【００２８】
（２）室外ユニット
室外ユニット２は、室外（建物の屋上や建物の壁面近傍等）に設置されており、冷媒回路６の一部を構成している。室外ユニット２は、主として、アキュムレータ７、圧縮機８と、四路切換弁１０と、室外熱交換器１１と、膨張機構としての室外膨張弁１２と、液側閉鎖弁１３と、ガス側閉鎖弁１４と、室外ファン１５と、室外制御部７２と、を有している。
【００２９】
アキュムレータ７は、ガス冷媒を圧縮機に供給するための容器であり、圧縮機８の吸入側に設けられている。
【００３０】
圧縮機８は、低圧のガス冷媒を吸入し、圧縮して高圧のガス冷媒を吐出する。
【００３１】
室外熱交換器１１は、冷房運転時には圧縮機８から吐出された冷媒の放熱器として機能し、暖房運転時には室内熱交換器５１から送られてくる冷媒の蒸発器として機能する熱交換器である。室外熱交換器１１は、その液側が室外膨張弁１２に接続されており、ガス側が四路切換弁１０に接続されている。
【００３２】
室外膨張弁１２は、冷房運転時には室外熱交換器１１において放熱された冷媒を室内熱交換器５１に送る前に減圧し、暖房運転時には室内熱交換器５１において放熱された冷媒を室外熱交換器１１に送る前に減圧することが可能な電動膨張弁である。
【００３３】
室外ユニット２の液側閉鎖弁１３には、液冷媒連絡管４の一端が接続されている。室外ユニット２のガス側閉鎖弁１４には、ガス冷媒連絡管５の一端が接続されている。
【００３４】
室外ユニット２の各機器および弁間は、冷媒管１６〜２２によって接続されている。
【００３５】
四路切換弁１０は、圧縮機８の吐出側が室外熱交換器１１側に接続されるとともに圧縮機８の吸入側がガス側閉鎖弁１４側に接続される状態（図１における四路切換弁１０の実線を参照）と、圧縮機８の吐出側がガス側閉鎖弁１４側に接続されるとともに圧縮機８の吸入側が室外熱交換器１１側に接続される状態（図１における四路切換弁１０の破線を参照）と、を切り換えることにより、後述する冷房運転の接続状態と暖房運転の接続状態とを切り換える。
【００３６】
室外ファン１５は、室外ユニット２の内部に配置され、室外空気を吸入して、室外熱交換器１１に室外空気を供給した後に、ユニット外に排出する空気流れを形成する。このように、室外ファン１５によって供給される室外空気は、室外熱交換器１１の冷媒との熱交換における冷却源又は加熱源として用いられる。
【００３７】
室外制御部７２は、室外ユニット２内に設けられており、後述する室内制御部７３と通信可能に接続されることで制御部７０の一部を構成しており、ＣＰＵ、ＲＯＭ、ＲＡＭ等を有している。室外制御部７２は、圧縮機８の駆動周波数と、四路切換弁１０の接続状態と、室外膨張弁１２の弁開度と、室外ファン１５の風量を制御する。
【００３８】
（３）室内ユニット
図２に、室内ユニット３の外観斜視図を示す。図３に、室内ユニット３の天板を取り除いた状態を示す概略平面図を示す。図４に、図３中にＡ−Ａで示す切断面における室内ユニット３の概略側面断面図を示す。
【００３９】
室内ユニット３は、本実施形態では、空調対象空間である室内等の天井に設けられた開口に埋め込まれることで設置されるタイプの室内機である。室内ユニット３は、主として、室内熱交換器５１と、室内ファン５２と、ケーシング３０と、フラップ３９と、ベルマウス３３と、ドレンパン３２と、室内制御部７３と、を有している。
【００４０】
室内熱交換器５１は、冷房運転時には室外熱交換器１１から送られてくる冷媒の蒸発器として機能し、暖房運転時には圧縮機８から吐出された冷媒の放熱器として機能する熱交換器である。室内熱交換器５１は、その液側が液冷媒連絡管４の室内側端部に接続されており、ガス側がガス冷媒連絡管５の室内側端部に接続されている。
【００４１】
室内ファン５２は、室内ユニット３のケーシング本体３１の内部に配置された遠心送風機である。室内ファン５２は、室内の空気を後述する化粧パネル３５の吸込口３６を通じてケーシング３０内に吸入し、室内熱交換器５１を通過させた後、化粧パネル３５の吹出口３７を通じてケーシング３０外へ吹き出す空気流れを形成する。このように、室内ファン５２によって供給される室内空気は、室内熱交換器５１の冷媒と熱交換することにより温度が調節される。
【００４２】
ケーシング３０は、ケーシング本体３１と、化粧パネル３５と、を主として有している。
【００４３】
ケーシング本体３１は、空調室の天井Ｕに形成された開口に挿入されるようにして配置されており、その平面視において、長辺と短辺とが交互に形成された略８角形状の箱状体であり、下面が開口している。このケーシング本体３１は、天板および天板の周縁部から下方に延びる複数の側板を有している。なお、ケーシング本体３１の平面視における４角の短辺には、天井に対して室内ユニット３を固定するための図示しないボルトがそれぞれ固定されている。なお、各４角におけるボルトに対する固定位置の高さを調節することで、室内ユニット３の化粧パネル３５の上面と天井の下面との隙間を無くすることが可能になる。
【００４４】
化粧パネル３５は、天井Ｕの開口に嵌め込まれるようにして配置されており、ケーシング本体３１の天板および側板よりも平面視における外側にまで広がっており、ケーシング本体３１の下方に室内側から取り付けられる。化粧パネル３５は、内枠３５ａと外枠３５ｂを有している。内枠３５ａの内側には、下方に向けて開口した略四角形状の吸込口３６が形成されている。吸込口３６の上方には、吸込口３６から吸入された空気中の塵埃を除去するためのフィルタ３４が設けられている。外枠３５ｂの内側であって内枠３５ａの外側には、下方から斜め下方に向けて開口した吹出口３７と角部吹出口３８が形成されている。吹出口３７は、化粧パネル３５の平面視における略四角形状の各辺に対応する位置に設けられた、第１吹出口３７ａと、第２吹出口３７ｂと、第３吹出口３７ｃと、第４吹出口３７ｄと、を有している。角部吹出口３８は、化粧パネル３５の平面視における略四角形状の４角に対応する位置に設けられた、第１角部吹出口３８ａと、第２角部吹出口３８ｂと、第３角部吹出口３８ｃと、第４角部吹出口３８ｄと、を有している。外枠３５ｂは、平面視において略四角形状の内縁および外縁を有しており、各角部にそれぞれ対応するように、第１コーナーパネル４１と、第２コーナーパネル４２と、第３コーナーパネル４３と、第４コーナーパネル４４と、を有している。平面視において、第１コーナーパネル４１は第１角部吹出口３８ａの外側に、第２コーナーパネル４２は第２角部吹出口３８ｂの外側に、第３コーナーパネル４３は第３角部吹出口３８ｃの外側に、第４コーナーパネル４４は第４角部吹出口３８ｄの外側に、それぞれ設けられている。第１〜第４コーナーパネル４１〜４４における各コーナーパネル本体の形状はいずれも同一であるため、各コーナーパネル４１〜４４は適宜、設置場所を替えることができる。なお、第１〜４コーナーパネル４１〜４４の上方の空間には、それぞれ室内ユニット３を天井に対して固定するためのボルトが位置している。
【００４５】
フラップ３９は、吹出口３７を通過する空気流れの方向を変更可能な部材である。フラップ３９は、第１吹出口３７ａに配置される第１フラップ３９ａと、第２吹出口３７ｂに配置される第２フラップ３９ｂと、第３吹出口３７ｃに配置される第３フラップ３９ｃと、第４吹出口３７ｄに配置される第４フラップ３９ｄと、を有している。各フラップ３９ａ〜ｄは、ケーシング３０の所定の位置において回動可能に軸支されている。
【００４６】
ドレンパン３２は、室内熱交換器５１の下側に配置され、室内熱交換器５１において空気中の水分が凝縮して生じるドレン水を受けとる。このドレンパン３２は、ケーシング本体３１の下部に装着されている。ドレンパン３２には、平面視において、室内熱交換器５１の内側において上下方向に伸びた円筒形状の空間が形成されており、当該空間の内側下方にベルマウス３３が配置されている。ベルマウス３３は、吸込口３６から吸入される空気を室内ファン５２に案内する。また、ドレンパン３２には、平面視において、室内熱交換器５１の外側において上下方向に伸びた複数の吹出流路４７ａ〜ｄ、角部吹出流路４８ａ〜ｃが形成されている。吹出流路４７ａ〜ｄは、下端において第１吹出口３７ａと連通する第１吹出流路４７ａと、下端において第２吹出口３７ｂと連通する第２吹出流路４７ｂと、下端において第３吹出口３７ｃと連通する第３吹出流路４７ｃと、下端において第４吹出口３７ｄと連通する第４吹出流路４７ｄと、を有している。角部吹出流路４８ａ〜ｃは、下端において第１角部吹出口３８ａと連通する第１角部吹出流路４８ａと、下端において第２角部吹出口３８ｂと連通する第２角部吹出流路４８ｂと、下端において第３角部吹出口３８ｃと連通する第３角部吹出流路４８ｃと、を有している。
【００４７】
室内制御部７３は、室外制御部７２および後述するコーナー基板６０と通信可能に接続されることで制御部７０の一部を構成しており、ＣＰＵ、ＲＯＭ、ＲＡＭ等を有している。室内制御部７３は、室内ファン５２の風量を制御する。
【００４８】
（４）第２コーナーパネル
第２コーナーパネル４２は、パネル中央近傍において人検知センサ５５を備えている。
【００４９】
人検知センサ５５は、特に限定されないが、例えば、赤外線カメラ等によって構成されており、室内制御部７３に対して通信可能に接続されている。
【００５０】
（５）第４コーナーパネル
図５に第４コーナーパネル４４の下面視概略構成図を、図６に第４コーナーパネル４４のカバーが取り外された状態の上面視概略構成図を、図７に第４コーナーパネル４４の上面視概略構成図を、それぞれ示す。また、図８に、第４コーナーパネル４４の図５のＢ−Ｂ断面の矢視における断面図を、図９に、第４コーナーパネル４４の図５のＣ−Ｃ断面の矢視における断面図を、それぞれ示す。
【００５１】
第４コーナーパネル４４は、平面視において第２コーナーパネル４２とは対角線状に位置するコーナーパネルであって、コーナーパネル本体８１と、発光用レンズ８２と、照度用レンズ８３と、取付部材８４と、カバー８５と、コーナー基板６０と、を備えている。
【００５２】
コーナーパネル本体８１は、第１〜３コーナーパネル４１〜４３と同様に平面視において略Ｌ字状の板状部材であり、板厚方向である上下方向に貫通した発光用開口８１ａと照度用開口８１ｂとブザー用開口８１ｃとが設けられている。発光用開口８１ａは、コーナーパネル本体８１の重心近傍に設けられており、室内側に発光用レンズ８２が取り付けられている。照度用開口８１ｂは、発光用開口８１ａに隣接して設けられており、室内側に照度用レンズ８３が取り付けられている。ブザー用開口８１ｃは、発光用開口８１ａに対して室内ユニット３の平面視における中心寄りに設けられている。
【００５３】
取付部材８４は、コーナー基板６０をコーナーパネル本体８１に対して取り付けるために、コーナー基板６０とコーナーパネル本体８１との間に介在する部材である。取付部材８４は、ネジ８４ｘによって、コーナーパネル本体８１に固定される。
【００５４】
カバー８５は、コーナー基板６０をさらに上から覆う部材であり、ネジ８５ｘによってコーナーパネル本体８１に固定される。
【００５５】
コーナー基板６０は、複数の電子部品によって構成されており、室内ユニット３のケーシング本体３１の内側に位置している室内制御部７３と通信可能に接続された制御基板であり、ＬＥＤ６１と照度センサ６２とブザー６３とが設けられている。具体的には、コーナー基板６０は、ＣＰＵ、ＲＯＭ、ＲＡＭ等を有して構成されており、室内制御部７３と通信線および電源供給線によって接続され、室内制御部７３から電源供給線を介して電源供給を受けつつ、室内制御部７３との間で通信線を介して通信が可能となっている。このＬＥＤ６１と照度センサ６２とブザー６３が実装されたコーナー基板６０は、コーナーパネル本体８１と取付部材８４とカバー８５とによって囲まれた空間である収容部８６に配置されている。なお、ＬＥＤ６１と照度センサ６２とブザー６３とは、いずれも同じコーナー基板６０に実装されており、基板が１つであるため、コンパクト化を図ることができている。
【００５６】
ＬＥＤ６１は、コーナー基板６０の下面に実装されており、室内ユニット３が空調対象とする対象空間を照らす。具体的には、ＬＥＤ６１は、下方に向けて発した光が、取付部材８４の対応する開口部と、コーナーパネル本体８１に設けられた発光用開口８１ａと、発光用レンズ８２を透過して、室内を照らすように設置されている。
【００５７】
照度センサ６２は、コーナー基板６０の下面に実装されており、室内ユニット３が空調対象とする対象空間の照度を検知する。特に限定されないが、照度センサ６２は、例えば、フォトトランジスタ等によって構成される。照度センサ６２は、室内からの明かりを、照度用レンズ８３、コーナーパネル本体８１に設けられた照度用開口８１ｂ、取付部材８４の対応する開口部を介して検知する。なお、照度センサ６２とＬＥＤ６１とは、図９において二点鎖線の矢印で示すように、ＬＥＤ６１が発した光であって、コーナーパネル本体８１に対する室内空間側とは反対側の空間を通過した光を受光可能な配置関係となっている。具体的には、本実施形態では、ＬＥＤ６１が発した光は、取付部材８４の上方の空間であってコーナー基板６０の下方の空間を介して略水平方向に進んで照度センサ６２に到達することが可能な構造となっており、第４コーナーパネル４４の内部構造においてＬＥＤ６１と照度センサ６２との間を遮る部材が存在しない構造となっている。
【００５８】
ブザー６３は、コーナー基板６０の下面に実装されており、室内ユニット３が空調対象とする対象空間に向けて音を発する。具体的には、ブザー６３は、所定の時間間隔で同じ音が繰り返し出力される警告音を発する。ブザー６３は、下方に向けて発した音が、取付部材８４の対応する開口部と、コーナーパネル本体８１に設けられたブザー用開口８１ｃを通過して室内に伝えられるように設置されている。
【００５９】
（６）リモコン
図１０に、空気調和装置１の制御ブロック構成図を示す。
【００６０】
室内ユニット３が空調を行う対象空間には、リモコン７４が設けられている。
【００６１】
リモコン７４は、室外制御部７２や室内制御部７３と通信可能に接続されており、ＣＰＵ、ＲＯＭ、ＲＡＭ等を有するリモコン基板７４ａと、入力部７４ｂと、ディスプレイ７４ｃと、を有している。
【００６２】
入力部７４ｂは、ユーザからの各種設定を受け付ける。
【００６３】
ディスプレイ７４ｃは、空気調和装置１の運転状態や設定温度や異常の状態等の表示出力が可能である。
【００６４】
（７）制御部
空気調和装置１は、室外制御部７２と、リモコン基板７４ａと、室内制御部７３と、コーナー基板６０と、によって構成された制御部７０を有している。
【００６５】
具体的には、室外制御部７２は、圧縮機８、四路切換弁１０、室外膨張弁１２、室外ファン１５等の制御が可能なように接続されており、室内制御部７３は、人検知センサ５５からの信号を受信可能であり室内ファン５２の制御が可能なように接続されており、コーナー基板６０は、照度センサ６２からの信号を受信可能でありＬＥＤ６１やブザー６３等の制御が可能なように接続されており、リモコン基板７４ａは、入力部７４ｂからの信号を受信可能でありディスプレイ７４ｃに各種の表示出力が可能なように接続されている。
いる。
【００６６】
空気調和装置１の各種制御動作や情報処理は、当該制御部７０が実行する。
【００６７】
（８）空気調和装置の動作
次に、図１を用いて、空気調和装置１の動作について説明する。空気調和装置１では、圧縮機８、室外熱交換器１１、室外膨張弁１２、室内熱交換器５１の順に冷媒を流す冷房運転と、圧縮機８、室内熱交換器５１、室外膨張弁１２、室外熱交換器１１の順に冷媒を流す暖房運転と、が行われる。
【００６８】
（８−１）冷房運転
冷房運転時には、室外熱交換器１１が冷媒の放熱器となり室内熱交換器５１が冷媒の蒸発器となるように、四路切換弁１０の接続状態が切り換えられる（図１の実線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０を通じて、室外熱交換器１１に送られる。室外熱交換器１１に送られた高圧のガス冷媒は、冷媒の放熱器として機能する室外熱交換器１１において、室外ファン１５によって冷却源として供給される室外空気と熱交換を行って放熱して、高圧の液冷媒になる。この高圧の液冷媒は、室外膨張弁１２を通過する際に冷凍サイクルにおける低圧になるまで減圧され、気液二相状態の冷媒となって、液側閉鎖弁１３および液冷媒連絡管４を通じて、室内ユニット３に送られる。
【００６９】
低圧の気液二相状態の冷媒は、室内熱交換器５１において、冷房運転時は室内ファン５２によって加熱源として供給される室内空気と熱交換を行って蒸発する。これにより、室内熱交換器５１を通過する空気は冷却され、室内の冷房が行われる。室内熱交換器５１において蒸発した低圧のガス冷媒は、ガス冷媒連絡管５を通じて、室外ユニット２に送られる。
【００７０】
室外ユニット２に送られた低圧のガス冷媒は、ガス側閉鎖弁１４、四路切換弁１０およびアキュムレータ７を通じて、再び、圧縮機８に吸入される。冷房運転では、以上のようにして、冷媒が冷媒回路６を循環する。
【００７１】
（８−２）暖房運転
暖房運転時には、室外熱交換器１１が冷媒の蒸発器となり室内熱交換器５１が冷媒の放熱器となるように、四路切換弁１０の接続状態が切り換えられる（図１の破線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０、ガス側閉鎖弁１４およびガス冷媒連絡管５を通じて、室内ユニット３に送られる。
【００７２】
高圧のガス冷媒は、室内熱交換器５１において、室内ファン５２によって冷却源として供給される室内空気と熱交換を行って放熱して、高圧の液冷媒になる。これにより、室内熱交換器５１を通過する空気は加熱され、室内の暖房が行われる。室内熱交換器５１で放熱した高圧の液冷媒は、液冷媒連絡管４を通じて、室外ユニット２に送られる。
【００７３】
室外ユニット２に送られた高圧の液冷媒は、液側閉鎖弁１３を通じて、室外膨張弁１２において冷凍サイクルの低圧まで減圧され、低圧の気液二相状態の冷媒になる。室外膨張弁１２で減圧された低圧の気液二相状態の冷媒は、冷媒の蒸発器として機能する室外熱交換器１１において、室外ファン１５によって加熱源として供給される室外空気と熱交換を行って蒸発して、低圧のガス冷媒になる。この低圧のガス冷媒は、四路切換弁１０およびアキュムレータ７を通じて、再び、圧縮機８に吸入される。暖房運転では、以上のようにして、冷媒が冷媒回路６を循環する。
【００７４】
（９）ＬＥＤおよびブザーの制御
図１１に、ＬＥＤ６１およびブザー６３の制御フローチャートを示す。
【００７５】
ステップＳ１０では、室内制御部７３が所定の時間条件を満たしているか否かを判断する。当該所定の時間条件としては、特に限定されないが、例えば、一日のうちの所定の時間帯であることという条件とすることができ、室内制御部７３が有するメモリ等に予め格納されている。なお、ユーザは、リモコン７４の入力部７４ｂを介して当該所定の時間条件を設定することが可能となっている。ここで、所定の時間条件を満たすと判断した場合にはステップＳ１２に移行し、所定の時間条件を満たさないと判断した場合にはステップＳ１０を繰り返す。
【００７６】
ステップＳ１１では、室内制御部７３が室内の照度が予め定めた所定照度以下であるか否かを判断する。具体的には、室内制御部７３は、コーナー基板６０を介して照度センサ６２が検知した照度値を把握し、当該照度値を所定照度と比較することで判断する。所定照度以下（暗い）と判断した場合にはステップＳ１２に移行し、所定照度以下ではない（暗くはない）と判断した場合にはステップＳ１０を繰り返す。
【００７７】
ステップＳ１２では、室内制御部７３が室内に人が存在しているか否かを判断する。具体的には、室内制御部７３は、人検知センサ５５からの検知信号を受信することで、室内における人の存在の有無を判断する。人が存在すると判断した場合にはステップＳ１３に移行し、人が存在しないと判断した場合にはステップＳ１０に戻る。
【００７８】
ステップＳ１３では、室内制御部７３は、ＬＥＤ６１を発光させ、ブザー６３から警告音が発せられるように、制御を行う。具体的には、室内制御部７３は、コーナー基板６０に向けて、ＬＥＤ６１を発光させ、ブザー６３から警告音が発せられるように制御信号を送信する。これにより、当該制御信号を受信したコーナー基板６０が、ＬＥＤ６１を発光させ、ブザー６３から警告音を発せられるように、ＬＥＤ６１およびブザー６３を制御する。
【００７９】
ステップＳ１４では、室内制御部７３は、ＬＥＤ６１を発光させ、ブザー６３から警告音を発するようにしてから所定時間が経過したか否かを判断する。ここで、所定時間としては特に限定されないが、例えば、１分以上５分未満の所定の時間長さとすることができる。所定時間が経過したと判断した場合にはステップＳ１５に移行し、所定時間が経過していないと判断した場合には所定時間が経過するまでＬＥＤ６１の発光およびブザー６３からの警告音の出力を続ける。
【００８０】
ステップＳ１５では、室内制御部７３は、ＬＥＤ６１の発光を停止させ、ブザー６３から警告音も止めて、ステップＳ１０に戻り、上記処理を繰り返す。
【００８１】
（１０）特徴
（１０−１）
本実施形態の室内ユニット３および空気調和装置１では、室内ユニット３が空調を行う対象空間における人の有無を検知する人検知センサ５５と、人検知センサ５５の検知結果に応じて音を発するブザー６３とを備えている。このため、空調対象空間を空調させる空気調和装置１の室内ユニット３が、空調対象空間に人が存在していることを知らせることが可能となっている。
【００８２】
（１０−２）
本実施形態の室内ユニット３のブザー６３は、空調対象空間に人が存在していることを警告音によって知らせる。このため、空調対象空間に存在する人またはその周囲に存在する人に対して緊急性を知らせることが可能である。例えば、当該空調対象空間に人が侵入することが禁じられている場合には、防犯等の効果を奏する。
【００８３】
（１０−３）
本実施形態の室内ユニット３のブザー６３は、空調対象空間に人が存在していることを所定時間の間、音を発することで知らせる。このため、空調対象空間において人が検知されてから、当該人が存在している間に、空調対象空間に人が存在したことを報知することが可能となっている。
【００８４】
（１０−４）
本実施形態の室内ユニット３は、ブザー６３によって報知を行うのは、所定の時間帯となっている等の所定の時間条件を満たしている場合に限って、空調対象空間に人が存在していることを音で報知させる。このため、ブザー６３による報知が希望されない時間にブザー６３による報知を止めさせることが可能となっている。本実施形態の室内ユニット３は、例えば、所定の時間条件を満たさない時間帯ではユーザが当該空調対象空間を利用し、所定の時間条件を満たす時間帯ではユーザが当該空調対象空間を利用しない場合等において、所定の時間条件を満たす時間帯の当該空調対象空間の防犯装置として有用である。
【００８５】
（１０−５）
本実施形態の室内ユニット３では、空調対象空間の照度を検知する照度センサ６２を備えており、ブザー６３は、照度センサ６２が検知した照度が所定照度以下である場合に、人検知センサ５５による検知結果に応じて音を発する。このため、空調対象空間の照度が所定照度以下のように暗い場合における空調対象空間の防犯装置として有用である。
【００８６】
（１０−６）
本実施形態の室内ユニット３では、ＬＥＤ６１、照度センサ６２およびブザー６３と、人検知センサ５５とは、化粧パネル３５の４つのコーナーパネル４１〜４４のうちのいずれかに設けられており、具体的には、ＬＥＤ６１、照度センサ６２およびブザー６３が第４コーナーパネル４４に、人検知センサ５５が第２コーナーパネル４２に、それぞれ設けられている。このように、ＬＥＤ６１、照度センサ６２およびブザー６３と、人検知センサ５５とを、同じコーナーパネルに設けるのではなく、異なるコーナーパネルに設けることで、コーナーパネルの１つ当たりの大きさをコンパクトなものとすることが可能になっている。なお、第１〜４コーナーパネル４１〜４４のそれぞれの上方の空間には、室内ユニット３を天井に対して固定するためのボルトが位置しており、各第１〜４コーナーパネル４１〜４４はそれぞれ対応するボルトが室内側から見えないように隠すことが可能になっている。そして、このように室内ユニット３の固定用のボルトを隠す第２コーナーパネル４２や第４コーナーパネル４４の部分を、人検知センサ５５やブザー６３等の設置スペースとして流用することが可能になっている。
【００８７】
（１１）変形例
（１１−１）変形例Ａ
上記実施形態の室内ユニット３や空気調和装置１では、ＬＥＤ６１、照度センサ６２およびブザー６３と、人検知センサ５５とが第１〜４コーナーパネル４１〜４４のうち互いに異なるコーナーパネルに設けられている場合を例に挙げて説明した。
【００８８】
しかし、図１２の室内ユニット２０３に示すように、ＬＥＤ６１、照度センサ６２、ブザー６３および人検知センサ５５を、第１〜４コーナーパネル４１〜４４のうちの同じコーナーパネルに位置させるようにしてもよい。これにより、室内ユニット３の室内制御部７３に対して電気的配線接続を行う場合に、接続先の対象を同じコーナーパネルとすることができるため、接続作業を簡単にすることが可能になる。
【００８９】
（１１−２）変形例Ｂ
上記実施形態の室内ユニット３では、所定の時間条件と照度条件を満たして人を検知した場合に、ＬＥＤ６１を発光させつつ、ブザー６３から警告音を発するように制御する場合を例に挙げて説明した。
【００９０】
しかし、所定の時間条件と照度条件を満たして人を検知した場合に、ＬＥＤ６１の発光とブザー６３から警告音の出力との両方を行うモードと、ＬＥＤ６１の発光のみを行うモードと、ブザー６３から警告音の出力のみを行うモードと、が選択可能に構成されていてもよい。このようなユーザによる選択は、例えば、リモコン７４の入力部７４ｂを介して受付させるようにしてもよい。
【００９１】
以上、本開示の実施形態及び変形例を説明したが、特許請求の範囲に記載された本開示の趣旨及び範囲から逸脱することなく、形態や詳細の多様な変更が可能なことが理解されるであろう。
【符号の説明】
【００９２】
１  空気調和装置
２  室外ユニット
３  室内ユニット
１１  室外熱交換器
３５  化粧パネル
４１〜４４  第１〜第４コーナーパネル
５１  室内熱交換器
５５  人検知センサ
６０  コーナー基板
６１  ＬＥＤ（発光部）
６２  照度センサ
６３  ブザー（音発生部）
２０３  室内ユニット
【先行技術文献】
【特許文献】
【００９３】
【特許文献１】特開２０１１−１７４７０５号
【図１】
2019124391.tif 000003
【図２】
2019124391.tif 000004
【図３】
2019124391.tif 000005
【図４】
2019124391.tif 000006
【図５】
2019124391.tif 000007
【図６】
2019124391.tif 000008
【図７】
2019124391.tif 000009
【図８】
2019124391.tif 000010
【図９】
2019124391.tif 000011
【図１０】
2019124391.tif 000012
【図１１】
2019124391.tif 000013
【図１２】
2019124391.tif 000014
【手続補正書】
【提出日】平成31年4月25日(2019.4.25)
【手続補正１】
【補正対象書類名】特許請求の範囲
【補正対象項目名】全文
【補正方法】変更
【補正の内容】
【特許請求の範囲】
【請求項１】
空調対象空間に設置される空気調和装置（１）の室内ユニット（３、２０３）であって、
前記空調対象空間の人の存在を検知する人検知センサ（５５）と、
前記人検知センサによる検知結果に応じて音を発する音発生部（６３）と、
を備え、
前記音発生部は、所定の時間帯となっている場合に、前記人検知センサによる検知結果に応じて前記音を発する、
室内ユニット。
【請求項２】
空調対象空間に設置される空気調和装置（１）の室内ユニット（３、２０３）であって、
前記空調対象空間の人の存在を検知する人検知センサ（５５）と、
前記人検知センサによる検知結果に応じて音を発する音発生部（６３）と、
前記空調対象空間の照度を検知する照度センサ（６２）と、
を備え、
前記音発生部は、前記照度センサが検知した照度が所定照度以下または前記所定照度よりも低い場合に、前記人検知センサによる検知結果に応じて音を発する、
室内ユニット。
【請求項３】
前記音発生部が発する音が警告音である、
請求項１または２に記載の室内ユニット。
【請求項４】
前記音発生部は、前記人検知センサによる検知から所定時間の間、前記音を発する、
請求項１から３のいずれか１項に記載の室内ユニット。
【請求項５】
下面視が矩形である化粧パネル（３５）をさらに備え、
前記人検知センサと前記音発生部とは、前記化粧パネルの４角のうちのいずれかに設けられている、
請求項１から４のいずれか１項に記載の室内ユニット。
【請求項６】
前記人検知センサによる検知結果に応じて発光する発光部（６１）をさらに備え、
前記発光部は、前記化粧パネルの４角のうち、前記人検知センサが設けられている場所とは異なる場所に設けられている、
請求項５に記載の室内ユニット。
【請求項７】
前記人検知センサによる検知結果に応じて発光する発光部（６１）をさらに備え、
前記発光部は、前記化粧パネルの４角のうち、前記人検知センサ（５５）および／または前記音発生部（６３）が設けられている場所と同じ場所に設けられている、
請求項５に記載の室内ユニット（２０３）。
【請求項８】
請求項１から７のいずれか１項に記載の室内ユニット（３、２０３）と、
室外ユニット（２）と、
を備えた空気調和装置（１）。
【手続補正２】
【補正対象書類名】明細書
【補正対象項目名】全文
【補正方法】変更
【補正の内容】
【発明の詳細な説明】
【技術分野】
【０００１】
本開示は、室内ユニットおよび空気調和装置に関する。
【背景技術】
【０００２】
従来より、空気調和を行う対象空間の天井に設置される空調室内ユニットとして、例えば、特許文献１（特開２０１１−１７４７０５号）に記載の室内ユニットのように、対象空間における人の存在を把握する人検知センサを備え、対象空間における人の分布に基づいて吹出口から吹き出される調和空気の風向を制御する空調室内ユニットが提案されている。
【発明の概要】
【発明が解決しようとする課題】
【０００３】
このような、室内ユニットでは、対象空間に存在する人に対して調和空気を適切に供給するために人検知センサが用いられているが、対象空間に人が存在していることを把握することが困難である。
【０００４】
本開示は、上述した点に鑑みてなされたものであり、本開示における課題は、対象空間に人が存在していることを知らせることが可能な室内ユニットおよび空気調和装置を提供することにある。
【課題を解決するための手段】
【０００５】
第１観点に係る室内ユニットは、空調対象空間に設置される空気調和装置の室内ユニットであって、人検知センサと、音発生部と、を備えている。人検知センサは、空調対象空間の人の存在を検知する。音発生部は、人検知センサによる検知結果に応じて音を発する。音発生部は、所定の時間帯となっている場合に、人検知センサによる検知結果に応じて音を発する。
【０００６】
ここでは、空気調和装置の室内ユニットが、空調対象空間に人が存在していることを知らせることが可能である。また、音発生部が音を発する条件として、所定の時間帯となっているという条件が含まれている。このため、音発生部による報知が希望されない時間帯に音発生部による報知を止めさせることが可能となる。
【０００７】
第２観点に係る室内ユニットは、空調対象空間に設置される空気調和装置の室内ユニットであって、人検知センサと、音発生部と、照度センサと、を備えている。人検知センサは、空調対象空間の人の存在を検知する。音発生部は、人検知センサによる検知結果に応じて音を発する。照度センサは、空調対象空間の照度を検知する。音発生部は、照度センサが検知した照度が所定照度以下または前記所定照度よりも低い場合に、人検知センサによる検知結果に応じて音を発する。
【０００８】
ここでは、空気調和装置の室内ユニットが、空調対象空間に人が存在していることを知らせることが可能である。また、空調対象空間の照度が所定照度以下または所定照度よりも低いという暗い場合に限って、空調対象空間に人が存在することを音で報知することが可能となる。
【０００９】
第３観点に係る室内ユニットは、第１観点または第２観点に係る室内ユニットであって、音発生部が発する音が警告音である。
【００１０】
ここで、警告音としては、特に限定されるものではなく、例えば、一定の間隔で同じ音が繰り返されるものであってもよいし、警告の内容を含むアナウンスを放送させるものであってもよい。
【００１１】
この室内ユニットでは、空調対象空間に人が存在している場合に、警告音を発することで、当該空調対象空間に存在する人またはその周囲に存在する人に対して緊急性を知らせることが可能である。
【００１２】
第４観点に係る室内ユニットは、第１観点から第３観点のいずれかに係る室内ユニットであって、音発生部は、人検知センサによる検知から所定時間の間、音を発する。
【００１３】
この室内ユニットでは、空調対象空間において人が検知されてから、当該人が存在している間に、空調対象空間に人が存在したことを報知することが可能である。
【００１４】
第５観点に係る室内ユニットは、第１観点から第４観点のいずれかに係る室内ユニットであって、化粧パネルをさらに備えている。化粧パネルは、下面視が矩形である。人検知センサと音発生部とは、化粧パネルの４角のうちのいずれかに設けられている。
【００１５】
この室内ユニットでは、人検知センサと音発生部とが化粧パネルの４角のうちのいずれかに設けられているため、室内ユニットとは別体として人検知センサや音発生部を設ける必要が無くなる。
【００１６】
第６観点に係る室内ユニットは、第５観点に係る室内ユニットであって、発光部をさらに備えている。発光部は、人検知センサによる検知結果に応じて発光する。発光部は、化粧パネルの４角のうち、人検知センサが設けられている場所とは異なる場所に設けられている。
【００１７】
この室内ユニットでは、発光部は人検知センサが設けられている場所とは異なる４角に配置されているため、化粧パネルの４角がコンパクトなものであっても、発光部および人検知センサを配置させることが可能になる。
【００１８】
第７観点に係る室内ユニットは、第５観点に係る室内ユニットであって、発光部をさらに備えている。発光部は、人検知センサによる検知結果に応じて発光する。発光部は、化粧パネルの４角のうち、人検知センサおよび／または音発生部が設けられている場所と同じ場所に設けられている。
【００１９】
この室内ユニットでは、化粧パネルの４角のうち、発光部と人検知センサおよび／または音発生部とがいずれも同じ場所に設けられているため、これらと室内ユニットが有する制御部との電気配線の接続を簡単に行うことが可能となる。
【００２０】
第８観点に係る空気調和装置は、第１観点から第７観点のいずれかに係る室内ユニットと、室外ユニットと、を備えている。
【００２１】
この空気調和装置では、空調対象空間に人が存在していることを知らせることが可能である。
【図面の簡単な説明】
【００２２】
【図１】空気調和装置の概略構成図である。
【図２】室内ユニットの概略外観斜視図である。
【図３】室内ユニットの平面視概略構成図である。
【図４】室内ユニットの図３のＡ−Ａ断面における側面視概略構成図である。
【図５】第４コーナーパネルの下面視概略構成図である。
【図６】第４コーナーパネルのカバーが取り外された状態の上面視概略構成図である。
【図７】第４コーナーパネルの上面視概略構成図である。
【図８】第４コーナーパネルの図５のＢ−Ｂ断面の矢視における断面図である。
【図９】第４コーナーパネルの図５のＣ−Ｃ断面の矢視における断面図である。
【図１０】空気調和装置の制御ブロック構成図である。
【図１１】ＬＥＤおよびブザーの制御フローチャートである。
【図１２】変形例Ａに係る室内ユニットの概略外観斜視図である。
【発明を実施するための形態】
【００２３】
（１）空気調和装置の構成
図１に、空気調和装置１の概略構成図を示す。
【００２４】
空気調和装置１は、蒸気圧縮式の冷凍サイクルを行うことによって、建物等の室内の冷房および暖房を行うことが可能な装置である。
【００２５】
空気調和装置１は、主として、室外ユニット２と、室内ユニット３と、室外ユニット２と室内ユニット３とを接続する冷媒経路である液冷媒連絡管４およびガス冷媒連絡管５と、を有している。そして、空気調和装置１の蒸気圧縮式の冷媒回路６は、室外ユニット２と、室内ユニット３とが冷媒連絡管４、５を介して接続されることによって構成されている。冷媒連絡管４、５は、空気調和装置１を建物等の設置場所に設置する際に、現地にて施工される冷媒管である。特に限定されないが、本実施形態では、当該冷媒回路６に作動冷媒としてＲ３２が充填されている。
【００２６】
（２）室外ユニット
室外ユニット２は、室外（建物の屋上や建物の壁面近傍等）に設置されており、冷媒回路６の一部を構成している。室外ユニット２は、主として、アキュムレータ７、圧縮機８と、四路切換弁１０と、室外熱交換器１１と、膨張機構としての室外膨張弁１２と、液側閉鎖弁１３と、ガス側閉鎖弁１４と、室外ファン１５と、室外制御部７２と、を有している。
【００２７】
アキュムレータ７は、ガス冷媒を圧縮機に供給するための容器であり、圧縮機８の吸入側に設けられている。
【００２８】
圧縮機８は、低圧のガス冷媒を吸入し、圧縮して高圧のガス冷媒を吐出する。
【００２９】
室外熱交換器１１は、冷房運転時には圧縮機８から吐出された冷媒の放熱器として機能し、暖房運転時には室内熱交換器５１から送られてくる冷媒の蒸発器として機能する熱交換器である。室外熱交換器１１は、その液側が室外膨張弁１２に接続されており、ガス側が四路切換弁１０に接続されている。
【００３０】
室外膨張弁１２は、冷房運転時には室外熱交換器１１において放熱された冷媒を室内熱交換器５１に送る前に減圧し、暖房運転時には室内熱交換器５１において放熱された冷媒を室外熱交換器１１に送る前に減圧することが可能な電動膨張弁である。
【００３１】
室外ユニット２の液側閉鎖弁１３には、液冷媒連絡管４の一端が接続されている。室外ユニット２のガス側閉鎖弁１４には、ガス冷媒連絡管５の一端が接続されている。
【００３２】
室外ユニット２の各機器および弁間は、冷媒管１６〜２２によって接続されている。
【００３３】
四路切換弁１０は、圧縮機８の吐出側が室外熱交換器１１側に接続されるとともに圧縮機８の吸入側がガス側閉鎖弁１４側に接続される状態（図１における四路切換弁１０の実線を参照）と、圧縮機８の吐出側がガス側閉鎖弁１４側に接続されるとともに圧縮機８の吸入側が室外熱交換器１１側に接続される状態（図１における四路切換弁１０の破線を参照）と、を切り換えることにより、後述する冷房運転の接続状態と暖房運転の接続状態とを切り換える。
【００３４】
室外ファン１５は、室外ユニット２の内部に配置され、室外空気を吸入して、室外熱交換器１１に室外空気を供給した後に、ユニット外に排出する空気流れを形成する。このように、室外ファン１５によって供給される室外空気は、室外熱交換器１１の冷媒との熱交換における冷却源又は加熱源として用いられる。
【００３５】
室外制御部７２は、室外ユニット２内に設けられており、後述する室内制御部７３と通信可能に接続されることで制御部７０の一部を構成しており、ＣＰＵ、ＲＯＭ、ＲＡＭ等を有している。室外制御部７２は、圧縮機８の駆動周波数と、四路切換弁１０の接続状態と、室外膨張弁１２の弁開度と、室外ファン１５の風量を制御する。
【００３６】
（３）室内ユニット
図２に、室内ユニット３の外観斜視図を示す。図３に、室内ユニット３の天板を取り除いた状態を示す概略平面図を示す。図４に、図３中にＡ−Ａで示す切断面における室内ユニット３の概略側面断面図を示す。
【００３７】
室内ユニット３は、本実施形態では、空調対象空間である室内等の天井に設けられた開口に埋め込まれることで設置されるタイプの室内機である。室内ユニット３は、主として、室内熱交換器５１と、室内ファン５２と、ケーシング３０と、フラップ３９と、ベルマウス３３と、ドレンパン３２と、室内制御部７３と、を有している。
【００３８】
室内熱交換器５１は、冷房運転時には室外熱交換器１１から送られてくる冷媒の蒸発器として機能し、暖房運転時には圧縮機８から吐出された冷媒の放熱器として機能する熱交換器である。室内熱交換器５１は、その液側が液冷媒連絡管４の室内側端部に接続されており、ガス側がガス冷媒連絡管５の室内側端部に接続されている。
【００３９】
室内ファン５２は、室内ユニット３のケーシング本体３１の内部に配置された遠心送風機である。室内ファン５２は、室内の空気を後述する化粧パネル３５の吸込口３６を通じてケーシング３０内に吸入し、室内熱交換器５１を通過させた後、化粧パネル３５の吹出口３７を通じてケーシング３０外へ吹き出す空気流れを形成する。このように、室内ファン５２によって供給される室内空気は、室内熱交換器５１の冷媒と熱交換することにより温度が調節される。
【００４０】
ケーシング３０は、ケーシング本体３１と、化粧パネル３５と、を主として有している。
【００４１】
ケーシング本体３１は、空調室の天井Ｕに形成された開口に挿入されるようにして配置されており、その平面視において、長辺と短辺とが交互に形成された略８角形状の箱状体であり、下面が開口している。このケーシング本体３１は、天板および天板の周縁部から下方に延びる複数の側板を有している。なお、ケーシング本体３１の平面視における４角の短辺には、天井に対して室内ユニット３を固定するための図示しないボルトがそれぞれ固定されている。なお、各４角におけるボルトに対する固定位置の高さを調節することで、室内ユニット３の化粧パネル３５の上面と天井の下面との隙間を無くすることが可能になる。
【００４２】
化粧パネル３５は、天井Ｕの開口に嵌め込まれるようにして配置されており、ケーシング本体３１の天板および側板よりも平面視における外側にまで広がっており、ケーシング本体３１の下方に室内側から取り付けられる。化粧パネル３５は、内枠３５ａと外枠３５ｂを有している。内枠３５ａの内側には、下方に向けて開口した略四角形状の吸込口３６が形成されている。吸込口３６の上方には、吸込口３６から吸入された空気中の塵埃を除去するためのフィルタ３４が設けられている。外枠３５ｂの内側であって内枠３５ａの外側には、下方から斜め下方に向けて開口した吹出口３７と角部吹出口３８が形成されている。吹出口３７は、化粧パネル３５の平面視における略四角形状の各辺に対応する位置に設けられた、第１吹出口３７ａと、第２吹出口３７ｂと、第３吹出口３７ｃと、第４吹出口３７ｄと、を有している。角部吹出口３８は、化粧パネル３５の平面視における略四角形状の４角に対応する位置に設けられた、第１角部吹出口３８ａと、第２角部吹出口３８ｂと、第３角部吹出口３８ｃと、第４角部吹出口３８ｄと、を有している。外枠３５ｂは、平面視において略四角形状の内縁および外縁を有しており、各角部にそれぞれ対応するように、第１コーナーパネル４１と、第２コーナーパネル４２と、第３コーナーパネル４３と、第４コーナーパネル４４と、を有している。平面視において、第１コーナーパネル４１は第１角部吹出口３８ａの外側に、第２コーナーパネル４２は第２角部吹出口３８ｂの外側に、第３コーナーパネル４３は第３角部吹出口３８ｃの外側に、第４コーナーパネル４４は第４角部吹出口３８ｄの外側に、それぞれ設けられている。第１〜第４コーナーパネル４１〜４４における各コーナーパネル本体の形状はいずれも同一であるため、各コーナーパネル４１〜４４は適宜、設置場所を替えることができる。なお、第１〜４コーナーパネル４１〜４４の上方の空間には、それぞれ室内ユニット３を天井に対して固定するためのボルトが位置している。
【００４３】
フラップ３９は、吹出口３７を通過する空気流れの方向を変更可能な部材である。フラップ３９は、第１吹出口３７ａに配置される第１フラップ３９ａと、第２吹出口３７ｂに配置される第２フラップ３９ｂと、第３吹出口３７ｃに配置される第３フラップ３９ｃと、第４吹出口３７ｄに配置される第４フラップ３９ｄと、を有している。各フラップ３９ａ〜ｄは、ケーシング３０の所定の位置において回動可能に軸支されている。
【００４４】
ドレンパン３２は、室内熱交換器５１の下側に配置され、室内熱交換器５１において空気中の水分が凝縮して生じるドレン水を受けとる。このドレンパン３２は、ケーシング本体３１の下部に装着されている。ドレンパン３２には、平面視において、室内熱交換器５１の内側において上下方向に伸びた円筒形状の空間が形成されており、当該空間の内側下方にベルマウス３３が配置されている。ベルマウス３３は、吸込口３６から吸入される空気を室内ファン５２に案内する。また、ドレンパン３２には、平面視において、室内熱交換器５１の外側において上下方向に伸びた複数の吹出流路４７ａ〜ｄ、角部吹出流路４８ａ〜ｃが形成されている。吹出流路４７ａ〜ｄは、下端において第１吹出口３７ａと連通する第１吹出流路４７ａと、下端において第２吹出口３７ｂと連通する第２吹出流路４７ｂと、下端において第３吹出口３７ｃと連通する第３吹出流路４７ｃと、下端において第４吹出口３７ｄと連通する第４吹出流路４７ｄと、を有している。角部吹出流路４８ａ〜ｃは、下端において第１角部吹出口３８ａと連通する第１角部吹出流路４８ａと、下端において第２角部吹出口３８ｂと連通する第２角部吹出流路４８ｂと、下端において第３角部吹出口３８ｃと連通する第３角部吹出流路４８ｃと、を有している。
【００４５】
室内制御部７３は、室外制御部７２および後述するコーナー基板６０と通信可能に接続されることで制御部７０の一部を構成しており、ＣＰＵ、ＲＯＭ、ＲＡＭ等を有している。室内制御部７３は、室内ファン５２の風量を制御する。
【００４６】
（４）第２コーナーパネル
第２コーナーパネル４２は、パネル中央近傍において人検知センサ５５を備えている。
【００４７】
人検知センサ５５は、特に限定されないが、例えば、赤外線カメラ等によって構成されており、室内制御部７３に対して通信可能に接続されている。
【００４８】
（５）第４コーナーパネル
図５に第４コーナーパネル４４の下面視概略構成図を、図６に第４コーナーパネル４４のカバーが取り外された状態の上面視概略構成図を、図７に第４コーナーパネル４４の上面視概略構成図を、それぞれ示す。また、図８に、第４コーナーパネル４４の図５のＢ−Ｂ断面の矢視における断面図を、図９に、第４コーナーパネル４４の図５のＣ−Ｃ断面の矢視における断面図を、それぞれ示す。
【００４９】
第４コーナーパネル４４は、平面視において第２コーナーパネル４２とは対角線状に位置するコーナーパネルであって、コーナーパネル本体８１と、発光用レンズ８２と、照度用レンズ８３と、取付部材８４と、カバー８５と、コーナー基板６０と、を備えている。
【００５０】
コーナーパネル本体８１は、第１〜３コーナーパネル４１〜４３と同様に平面視において略Ｌ字状の板状部材であり、板厚方向である上下方向に貫通した発光用開口８１ａと照度用開口８１ｂとブザー用開口８１ｃとが設けられている。発光用開口８１ａは、コーナーパネル本体８１の重心近傍に設けられており、室内側に発光用レンズ８２が取り付けられている。照度用開口８１ｂは、発光用開口８１ａに隣接して設けられており、室内側に照度用レンズ８３が取り付けられている。ブザー用開口８１ｃは、発光用開口８１ａに対して室内ユニット３の平面視における中心寄りに設けられている。
【００５１】
取付部材８４は、コーナー基板６０をコーナーパネル本体８１に対して取り付けるために、コーナー基板６０とコーナーパネル本体８１との間に介在する部材である。取付部材８４は、ネジ８４ｘによって、コーナーパネル本体８１に固定される。
【００５２】
カバー８５は、コーナー基板６０をさらに上から覆う部材であり、ネジ８５ｘによってコーナーパネル本体８１に固定される。
【００５３】
コーナー基板６０は、複数の電子部品によって構成されており、室内ユニット３のケーシング本体３１の内側に位置している室内制御部７３と通信可能に接続された制御基板であり、ＬＥＤ６１と照度センサ６２とブザー６３とが設けられている。具体的には、コーナー基板６０は、ＣＰＵ、ＲＯＭ、ＲＡＭ等を有して構成されており、室内制御部７３と通信線および電源供給線によって接続され、室内制御部７３から電源供給線を介して電源供給を受けつつ、室内制御部７３との間で通信線を介して通信が可能となっている。このＬＥＤ６１と照度センサ６２とブザー６３が実装されたコーナー基板６０は、コーナーパネル本体８１と取付部材８４とカバー８５とによって囲まれた空間である収容部８６に配置されている。なお、ＬＥＤ６１と照度センサ６２とブザー６３とは、いずれも同じコーナー基板６０に実装されており、基板が１つであるため、コンパクト化を図ることができている。
【００５４】
ＬＥＤ６１は、コーナー基板６０の下面に実装されており、室内ユニット３が空調対象とする対象空間を照らす。具体的には、ＬＥＤ６１は、下方に向けて発した光が、取付部材８４の対応する開口部と、コーナーパネル本体８１に設けられた発光用開口８１ａと、発光用レンズ８２を透過して、室内を照らすように設置されている。
【００５５】
照度センサ６２は、コーナー基板６０の下面に実装されており、室内ユニット３が空調対象とする対象空間の照度を検知する。特に限定されないが、照度センサ６２は、例えば、フォトトランジスタ等によって構成される。照度センサ６２は、室内からの明かりを、照度用レンズ８３、コーナーパネル本体８１に設けられた照度用開口８１ｂ、取付部材８４の対応する開口部を介して検知する。なお、照度センサ６２とＬＥＤ６１とは、図９において二点鎖線の矢印で示すように、ＬＥＤ６１が発した光であって、コーナーパネル本体８１に対する室内空間側とは反対側の空間を通過した光を受光可能な配置関係となっている。具体的には、本実施形態では、ＬＥＤ６１が発した光は、取付部材８４の上方の空間であってコーナー基板６０の下方の空間を介して略水平方向に進んで照度センサ６２に到達することが可能な構造となっており、第４コーナーパネル４４の内部構造においてＬＥＤ６１と照度センサ６２との間を遮る部材が存在しない構造となっている。
【００５６】
ブザー６３は、コーナー基板６０の下面に実装されており、室内ユニット３が空調対象とする対象空間に向けて音を発する。具体的には、ブザー６３は、所定の時間間隔で同じ音が繰り返し出力される警告音を発する。ブザー６３は、下方に向けて発した音が、取付部材８４の対応する開口部と、コーナーパネル本体８１に設けられたブザー用開口８１ｃを通過して室内に伝えられるように設置されている。
【００５７】
（６）リモコン
図１０に、空気調和装置１の制御ブロック構成図を示す。
【００５８】
室内ユニット３が空調を行う対象空間には、リモコン７４が設けられている。
【００５９】
リモコン７４は、室外制御部７２や室内制御部７３と通信可能に接続されており、ＣＰＵ、ＲＯＭ、ＲＡＭ等を有するリモコン基板７４ａと、入力部７４ｂと、ディスプレイ７４ｃと、を有している。
【００６０】
入力部７４ｂは、ユーザからの各種設定を受け付ける。
【００６１】
ディスプレイ７４ｃは、空気調和装置１の運転状態や設定温度や異常の状態等の表示出力が可能である。
【００６２】
（７）制御部
空気調和装置１は、室外制御部７２と、リモコン基板７４ａと、室内制御部７３と、コーナー基板６０と、によって構成された制御部７０を有している。
【００６３】
具体的には、室外制御部７２は、圧縮機８、四路切換弁１０、室外膨張弁１２、室外ファン１５等の制御が可能なように接続されており、室内制御部７３は、人検知センサ５５からの信号を受信可能であり室内ファン５２の制御が可能なように接続されており、コーナー基板６０は、照度センサ６２からの信号を受信可能でありＬＥＤ６１やブザー６３等の制御が可能なように接続されており、リモコン基板７４ａは、入力部７４ｂからの信号を受信可能でありディスプレイ７４ｃに各種の表示出力が可能なように接続されている。
いる。
【００６４】
空気調和装置１の各種制御動作や情報処理は、当該制御部７０が実行する。
【００６５】
（８）空気調和装置の動作
次に、図１を用いて、空気調和装置１の動作について説明する。空気調和装置１では、圧縮機８、室外熱交換器１１、室外膨張弁１２、室内熱交換器５１の順に冷媒を流す冷房運転と、圧縮機８、室内熱交換器５１、室外膨張弁１２、室外熱交換器１１の順に冷媒を流す暖房運転と、が行われる。
【００６６】
（８−１）冷房運転
冷房運転時には、室外熱交換器１１が冷媒の放熱器となり室内熱交換器５１が冷媒の蒸発器となるように、四路切換弁１０の接続状態が切り換えられる（図１の実線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０を通じて、室外熱交換器１１に送られる。室外熱交換器１１に送られた高圧のガス冷媒は、冷媒の放熱器として機能する室外熱交換器１１において、室外ファン１５によって冷却源として供給される室外空気と熱交換を行って放熱して、高圧の液冷媒になる。この高圧の液冷媒は、室外膨張弁１２を通過する際に冷凍サイクルにおける低圧になるまで減圧され、気液二相状態の冷媒となって、液側閉鎖弁１３および液冷媒連絡管４を通じて、室内ユニット３に送られる。
【００６７】
低圧の気液二相状態の冷媒は、室内熱交換器５１において、冷房運転時は室内ファン５２によって加熱源として供給される室内空気と熱交換を行って蒸発する。これにより、室内熱交換器５１を通過する空気は冷却され、室内の冷房が行われる。室内熱交換器５１において蒸発した低圧のガス冷媒は、ガス冷媒連絡管５を通じて、室外ユニット２に送られる。
【００６８】
室外ユニット２に送られた低圧のガス冷媒は、ガス側閉鎖弁１４、四路切換弁１０およびアキュムレータ７を通じて、再び、圧縮機８に吸入される。冷房運転では、以上のようにして、冷媒が冷媒回路６を循環する。
【００６９】
（８−２）暖房運転
暖房運転時には、室外熱交換器１１が冷媒の蒸発器となり室内熱交換器５１が冷媒の放熱器となるように、四路切換弁１０の接続状態が切り換えられる（図１の破線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０、ガス側閉鎖弁１４およびガス冷媒連絡管５を通じて、室内ユニット３に送られる。
【００７０】
高圧のガス冷媒は、室内熱交換器５１において、室内ファン５２によって冷却源として供給される室内空気と熱交換を行って放熱して、高圧の液冷媒になる。これにより、室内熱交換器５１を通過する空気は加熱され、室内の暖房が行われる。室内熱交換器５１で放熱した高圧の液冷媒は、液冷媒連絡管４を通じて、室外ユニット２に送られる。
【００７１】
室外ユニット２に送られた高圧の液冷媒は、液側閉鎖弁１３を通じて、室外膨張弁１２において冷凍サイクルの低圧まで減圧され、低圧の気液二相状態の冷媒になる。室外膨張弁１２で減圧された低圧の気液二相状態の冷媒は、冷媒の蒸発器として機能する室外熱交換器１１において、室外ファン１５によって加熱源として供給される室外空気と熱交換を行って蒸発して、低圧のガス冷媒になる。この低圧のガス冷媒は、四路切換弁１０およびアキュムレータ７を通じて、再び、圧縮機８に吸入される。暖房運転では、以上のようにして、冷媒が冷媒回路６を循環する。
【００７２】
（９）ＬＥＤおよびブザーの制御
図１１に、ＬＥＤ６１およびブザー６３の制御フローチャートを示す。
【００７３】
ステップＳ１０では、室内制御部７３が所定の時間条件を満たしているか否かを判断する。当該所定の時間条件としては、特に限定されないが、例えば、一日のうちの所定の時間帯であることという条件とすることができ、室内制御部７３が有するメモリ等に予め格納されている。なお、ユーザは、リモコン７４の入力部７４ｂを介して当該所定の時間条件を設定することが可能となっている。ここで、所定の時間条件を満たすと判断した場合にはステップＳ１２に移行し、所定の時間条件を満たさないと判断した場合にはステップＳ１０を繰り返す。
【００７４】
ステップＳ１１では、室内制御部７３が室内の照度が予め定めた所定照度以下であるか否かを判断する。具体的には、室内制御部７３は、コーナー基板６０を介して照度センサ６２が検知した照度値を把握し、当該照度値を所定照度と比較することで判断する。所定照度以下（暗い）と判断した場合にはステップＳ１２に移行し、所定照度以下ではない（暗くはない）と判断した場合にはステップＳ１０を繰り返す。
【００７５】
ステップＳ１２では、室内制御部７３が室内に人が存在しているか否かを判断する。具体的には、室内制御部７３は、人検知センサ５５からの検知信号を受信することで、室内における人の存在の有無を判断する。人が存在すると判断した場合にはステップＳ１３に移行し、人が存在しないと判断した場合にはステップＳ１０に戻る。
【００７６】
ステップＳ１３では、室内制御部７３は、ＬＥＤ６１を発光させ、ブザー６３から警告音が発せられるように、制御を行う。具体的には、室内制御部７３は、コーナー基板６０に向けて、ＬＥＤ６１を発光させ、ブザー６３から警告音が発せられるように制御信号を送信する。これにより、当該制御信号を受信したコーナー基板６０が、ＬＥＤ６１を発光させ、ブザー６３から警告音を発せられるように、ＬＥＤ６１およびブザー６３を制御する。
【００７７】
ステップＳ１４では、室内制御部７３は、ＬＥＤ６１を発光させ、ブザー６３から警告音を発するようにしてから所定時間が経過したか否かを判断する。ここで、所定時間としては特に限定されないが、例えば、１分以上５分未満の所定の時間長さとすることができる。所定時間が経過したと判断した場合にはステップＳ１５に移行し、所定時間が経過していないと判断した場合には所定時間が経過するまでＬＥＤ６１の発光およびブザー６３からの警告音の出力を続ける。
【００７８】
ステップＳ１５では、室内制御部７３は、ＬＥＤ６１の発光を停止させ、ブザー６３から警告音も止めて、ステップＳ１０に戻り、上記処理を繰り返す。
【００７９】
（１０）特徴
（１０−１）
本実施形態の室内ユニット３および空気調和装置１では、室内ユニット３が空調を行う対象空間における人の有無を検知する人検知センサ５５と、人検知センサ５５の検知結果に応じて音を発するブザー６３とを備えている。このため、空調対象空間を空調させる空気調和装置１の室内ユニット３が、空調対象空間に人が存在していることを知らせることが可能となっている。
【００８０】
（１０−２）
本実施形態の室内ユニット３のブザー６３は、空調対象空間に人が存在していることを警告音によって知らせる。このため、空調対象空間に存在する人またはその周囲に存在する人に対して緊急性を知らせることが可能である。例えば、当該空調対象空間に人が侵入することが禁じられている場合には、防犯等の効果を奏する。
【００８１】
（１０−３）
本実施形態の室内ユニット３のブザー６３は、空調対象空間に人が存在していることを所定時間の間、音を発することで知らせる。このため、空調対象空間において人が検知されてから、当該人が存在している間に、空調対象空間に人が存在したことを報知することが可能となっている。
【００８２】
（１０−４）
本実施形態の室内ユニット３は、ブザー６３によって報知を行うのは、所定の時間帯となっている等の所定の時間条件を満たしている場合に限って、空調対象空間に人が存在していることを音で報知させる。このため、ブザー６３による報知が希望されない時間にブザー６３による報知を止めさせることが可能となっている。本実施形態の室内ユニット３は、例えば、所定の時間条件を満たさない時間帯ではユーザが当該空調対象空間を利用し、所定の時間条件を満たす時間帯ではユーザが当該空調対象空間を利用しない場合等において、所定の時間条件を満たす時間帯の当該空調対象空間の防犯装置として有用である。
【００８３】
（１０−５）
本実施形態の室内ユニット３では、空調対象空間の照度を検知する照度センサ６２を備えており、ブザー６３は、照度センサ６２が検知した照度が所定照度以下である場合に、人検知センサ５５による検知結果に応じて音を発する。このため、空調対象空間の照度が所定照度以下のように暗い場合における空調対象空間の防犯装置として有用である。
【００８４】
（１０−６）
本実施形態の室内ユニット３では、ＬＥＤ６１、照度センサ６２およびブザー６３と、人検知センサ５５とは、化粧パネル３５の４つのコーナーパネル４１〜４４のうちのいずれかに設けられており、具体的には、ＬＥＤ６１、照度センサ６２およびブザー６３が第４コーナーパネル４４に、人検知センサ５５が第２コーナーパネル４２に、それぞれ設けられている。このように、ＬＥＤ６１、照度センサ６２およびブザー６３と、人検知センサ５５とを、同じコーナーパネルに設けるのではなく、異なるコーナーパネルに設けることで、コーナーパネルの１つ当たりの大きさをコンパクトなものとすることが可能になっている。なお、第１〜４コーナーパネル４１〜４４のそれぞれの上方の空間には、室内ユニット３を天井に対して固定するためのボルトが位置しており、各第１〜４コーナーパネル４１〜４４はそれぞれ対応するボルトが室内側から見えないように隠すことが可能になっている。そして、このように室内ユニット３の固定用のボルトを隠す第２コーナーパネル４２や第４コーナーパネル４４の部分を、人検知センサ５５やブザー６３等の設置スペースとして流用することが可能になっている。
【００８５】
（１１）変形例
（１１−１）変形例Ａ
上記実施形態の室内ユニット３や空気調和装置１では、ＬＥＤ６１、照度センサ６２およびブザー６３と、人検知センサ５５とが第１〜４コーナーパネル４１〜４４のうち互いに異なるコーナーパネルに設けられている場合を例に挙げて説明した。
【００８６】
しかし、図１２の室内ユニット２０３に示すように、ＬＥＤ６１、照度センサ６２、ブザー６３および人検知センサ５５を、第１〜４コーナーパネル４１〜４４のうちの同じコーナーパネルに位置させるようにしてもよい。これにより、室内ユニット３の室内制御部７３に対して電気的配線接続を行う場合に、接続先の対象を同じコーナーパネルとすることができるため、接続作業を簡単にすることが可能になる。
【００８７】
（１１−２）変形例Ｂ
上記実施形態の室内ユニット３では、所定の時間条件と照度条件を満たして人を検知した場合に、ＬＥＤ６１を発光させつつ、ブザー６３から警告音を発するように制御する場合を例に挙げて説明した。
【００８８】
しかし、所定の時間条件と照度条件を満たして人を検知した場合に、ＬＥＤ６１の発光とブザー６３から警告音の出力との両方を行うモードと、ＬＥＤ６１の発光のみを行うモードと、ブザー６３から警告音の出力のみを行うモードと、が選択可能に構成されていてもよい。このようなユーザによる選択は、例えば、リモコン７４の入力部７４ｂを介して受付させるようにしてもよい。
【００８９】
以上、本開示の実施形態及び変形例を説明したが、特許請求の範囲に記載された本開示の趣旨及び範囲から逸脱することなく、形態や詳細の多様な変更が可能なことが理解されるであろう。
【符号の説明】
【００９０】
１  空気調和装置
２  室外ユニット
３  室内ユニット
１１  室外熱交換器
３５  化粧パネル
４１〜４４  第１〜第４コーナーパネル
５１  室内熱交換器
５５  人検知センサ
６０  コーナー基板
６１  ＬＥＤ（発光部）
６２  照度センサ
６３  ブザー（音発生部）
２０３  室内ユニット
【先行技術文献】
【特許文献】
【００９１】
【特許文献１】特開２０１１−１７４７０５号